(57)【要約】  【課題】  ドリルやバールなどにより扉に対し攻撃が加えられた場合に、扉自体が受けるダメージを軽減し、扉の破壊を防ぐことが可能な扉の閉鎖装置を提供する。  【解決手段】  扉枠１０にはレバー受け３１が取り付けられ、扉２０にはケーシング３５が取り付けられる。ケーシング３５から突き出す出力軸３６にはレバー受け３１に係合するレバー３７が固定される。出力軸３６に固定されたアーム３９に、スライダ４０に保持された圧縮コイルばね４１が当たることにより、圧縮コイルばね４１からレバー３７に、扉２０を閉鎖状態に維持する弾性力が伝えられる。圧縮コイルばね４１によって与えられる弾性力は、人力による扉２０の開放を阻止するに足るものである。圧縮コイルばね４１の位置を変えることにより、弾性力が扉２０に作用し始める位置を調整することができる。【選択図】      図５
2006022535.tif 000002
【特許請求の範囲】
【請求項１】
一端を支点として開閉する扉に対し、この扉を閉鎖状態に維持する弾性力を選択的に付与できるようにするとともに、この弾性力は、人力による扉の開放を阻止するに足るものとすることを特徴とする扉の閉鎖装置。
【請求項２】
前記弾性力が前記扉に作用し始める位置を調整して、扉を一部開放状態に置くことが可能であることを特徴とする請求項１に記載の扉の閉鎖装置。
【請求項３】
前記扉及びこの扉を収める扉枠の一方に回動自在なレバーを、他方にはこのレバーの先端を受け入れるレバー受けを設けるとともに、前記弾性力は、前記レバー受けから前記レバーが抜け出さないように、レバーに対して作用させるものであることを特徴とする請求項１又は２に記載の扉の閉鎖装置。
【請求項４】
前記弾性力の源泉が、モータによって軌道上を移動せしめられる圧縮コイルばねであることを特徴とする請求項３に記載の扉の閉鎖装置。
【請求項５】
前記弾性力と反対方向の力を前記モータより前記レバーに与え、前記扉を開放させることが可能であることを特徴とする請求項４に記載の扉の閉鎖装置。
【発明の詳細な説明】
【技術分野】
【０００１】
本発明は建造物の開口部に組み合わせられるパネル状の遮蔽手段、すなわちドアや窓の戸（本明細書ではこれらを総称して「扉」という）を閉鎖状態に保つための閉鎖装置に関する。
【背景技術】
【０００２】
扉には、通常の場合、これを閉鎖状態に維持して外部者の侵入を防ぐため、錠が設けられる。近年では、家屋侵入盗の増加が報じられる中、１箇所の扉に対し単数でなく複数の錠を設けることが推奨されている。
【０００３】
合鍵を使ったり、ガラス部分を破り、そこから手を差し入れてロックを外したり、あるいは特殊解錠技術（いわゆる「ピッキング技術」）を用いてロックを外したりといった、「解錠」をベースとする侵入手口に対しては、錠を複数にして全部解錠するのに長時間を要するようにしたり、あるいは扉框の上の方に補助錠をつけて外からの解錠を困難にしたりするといった対抗策がとられている。しかしながら、最近では、ドリルやバールで錠を破壊したり、バールで扉を無理矢理こじ開けるといった、暴力的な侵入手口が増加している。このような侵入手口に対しては、従来型の錠を数だけ増やしてもあまり効果はない。そこで、ドリルやバールによる攻撃に対する耐性の高い錠が提案されるに至った。そのような錠の例を特許文献１、２に見ることができる。
【０００４】
特許文献１に記載された扉錠では、デッドボルトの先端に回動する係止部を設け、デッドボルトが受部材の受孔に係合して施錠状態になった後、係止部を回動させてデッドボルトが後退しないようにしている。
【０００５】
特許文献２に記載された自動販売機用のシリンダー錠装置では、ロータの前面部分を被覆する防護ディスクの形状に工夫を加え、ドリルによる穿孔破壊、バールによる引き抜き破壊、あるいはタガネ工具による割裂破壊のいずれに対しても強いものとしている。
【特許文献１】特開平１１−３０３４８２号公報（第３−５頁、図１−８）
【特許文献２】特開平１１−３２４４２２号公報（第２−３頁、図１−２）
【発明の開示】
【発明が解決しようとする課題】
【０００６】
特許文献１に記載された錠は、受部材の受孔にデッドボルトの先端の係止部を係合させ、デッドボルトが解錠方向に後退しないようになっているので、通常の錠に比べ、バールによる攻撃に対する耐性が高い。しかしながら、大型のバールにより扉と扉枠の間に強い力が加えられると、受部材が変形し、デッドボルトが抜ける可能性がある。また、デッドボルトが切断されてしまえば施錠は無効となる。
【０００７】
特許文献２に記載された錠は、錠自体は攻撃に対し強い。しかしながら攻撃の矛先が錠にではなく扉の方に向けられた場合、従来の錠以上の耐性を扉に保証できるとは言えない。
【０００８】
上記特許文献１、２のいずれにおいても、バール等による攻撃に対し強固にロックすることを主眼に置いているため、結局は、扉や錠が破壊されたり、完全に破壊されないまでも再使用不可能な状態になってしまうという問題がある。
【０００９】
本発明は上記の点に鑑みてなされたものであり、ドリルやバールなどにより扉に対し暴力的な攻撃が加えられた場合に、扉自体が受けるダメージを軽減し、破壊されることを防ぐとともに、扉の閉鎖状態を維持できる扉の閉鎖装置を提供することを目的とする。
【課題を解決するための手段】
【００１０】
（１）本発明では、一端を支点として開閉する扉に対し、この扉を閉鎖状態に維持する弾性力を選択的に付与できるようにするとともに、この弾性力は、人力による扉の開放を阻止するに足るものとする。
【００１１】
（２）前記のように構成された扉の閉鎖装置において、前記弾性力が前記扉に作用し始める位置を調整して、扉を一部開放状態に置くことが可能であるものとする。
【００１２】
（３）前記のように構成された扉の閉鎖装置において、前記扉及びこの扉を収める扉枠の一方に回動自在なレバーを、他方にはこのレバーの先端を受け入れるレバー受けを設けるとともに、前記弾性力は、前記レバー受けから前記レバーが抜け出さないように、レバーに対して作用させるものとする。
【００１３】
（４）前記のように構成された扉の閉鎖装置において、前記弾性力の源泉が、モータによって軌道上を移動せしめられる圧縮コイルばねであるものとする。
【００１４】
（５）前記のように構成された扉の閉鎖装置において、前記弾性力と反対方向の力を前記モータより前記レバーに与え、前記扉を開放させることが可能であるものとする。
【発明の効果】
【００１５】
（１）扉の閉鎖時には、人力による扉の開放を阻止するに足る弾性力を扉に付与することができるから、侵入するには少なくとも体を滑り込ませられるだけの隙間を開けねばならず、そのようにするためにはバールなどで少しずつ隙間を広げつつ、その隙間に物を挟んでいって扉が閉じるのを阻止するといった手間をかけさせることができる。従って、通常の侵入に比べ、要する道具と手間が大幅に増え、侵入に取り組んでいる間に発見される可能性も高まり、途中で侵入をあきらめさせるという効果が期待できる。
【００１６】
警備システムを導入し、扉の施錠状態が破られたときには警報が発されるとともに警備会社に自動的に通報がなされるようになっている住宅も多くなっている。しかしながら従来の錠を備えた扉では警報が発令された時点では既に錠が破壊され、扉が開かれてしまっており、警備会社から警備員が駆けつけるまでに侵入者が目的物の奪取に成功する可能性がある。また居住者が警報に気付いて逃げようとしても間に合わず、侵入者につかまる危険もある。
【００１７】
これに対し本発明によれば、扉をこじ開けるまではできるものの、人が通れる程度の隙間を確保するまでにはかなり時間をかけて手を尽くさねばならない。警備システムを導入していれば、最初に扉をこじ開けた時点で警報が発せられるので、侵入企図者が隙間を広げようと努力している間に警備員あるいは警官が到着できる可能性が高まる。また居住者にしても、警報を聞いてから防御態勢を整えるまでの時間、あるいはパニックルームに避難するまでの時間をかせぐことができる。
【００１８】
（２）弾性力が扉に作用し始める位置を調整して、扉を一部開放状態に置くことが可能であるから、人の出入りを拒みつつも、扉の隙間から外来者を確認することができる。
【００１９】
（３）扉及びこの扉を収める扉枠の一方に回動自在なレバーを、他方にはこのレバーの先端を受け入れるレバー受けを設けるとともに、弾性力は、レバー受けからレバーが抜け出さないように、レバーに対して作用させるものとしたから、市販の扉と扉枠の構造に大きく手を加えることなく閉鎖装置を付加することができる。このため商品としての提供が容易であり、また既存の扉に後付けで設置するのも比較的容易に行える。
【００２０】
（４）弾性力の源泉が、モータによって軌道上を移動せしめられる圧縮コイルばねであるから、弾性力の付与を自由に行うことができ、制御も容易である。
【００２１】
（５）弾性力と反対方向の力をモータよりレバーに与え、扉を開放させることができるようにしたから、モータの存在を利用して扉に自動オープンの機能を持たせることができる。
【発明を実施するための最良の形態】
【００２２】
以下、本発明の第１実施形態を図１−１４に基づき説明する。ここでは扉の例として住宅の出入り口用の扉が提示されている。
【００２３】
最初に、図１に基づき全体の概要を示す。１０は扉枠、２０は扉である。扉２０は図において左端を複数のヒンジ部１１により扉枠１０に連結され、ヒンジ部１１を支点として開閉する。扉２０の右端、すなわち扉２０の自由端にはレバー状のノブ２１が設けられ、このノブ２１を握って扉２０の開閉を行うことができる。
【００２４】
扉２０の上部には、通常の扉と同じように、ドアクローザ２２が設けられる。ドアクローザ２２より右側に寄った箇所に、本発明に係る閉鎖装置３０が配設される。以下閉鎖装置３０の構造と機能を図２−９に基づき説明する。
【００２５】
図２（ａ）は扉２０の上部の部分平面図、同図（ｂ）は同じ箇所の部分正面図である。閉鎖装置３０は、扉枠１０に取り付けられる部分と、扉２０に取り付けられる部分とを有する。扉枠１０に取り付けられるのはレバー受け３１、扉２０に取り付けられるのはケーシング３５である。
【００２６】
ケーシング３５の上面には垂直な出力軸３６の上端が突出し、ここにレバー３７が固定されている。レバー３７は出力軸３６によって水平面内で回動せしめられるものであり、その先端には垂直軸線まわりに回転するローラ３８が装着されている。
【００２７】
レバー受け３１は中空の直方体からなり、その側面の一部には、レバー３７及びローラ３８を受け入れるための開口３２が形成されている。レバー受け３１もケーシング３５も共に板金からなるが、バールで扉２０をこじ開けようとする力に耐えさせるため、板金の材質や肉厚に配慮して十分な強度を持たせ、これらを扉枠１０や扉２０に固定するボルトなどにも十分な強度を持たせるものとする。またレバー３７やこれを支持しあるいは回転させる構成要素にも十分な強度を持たせる。
【００２８】
図３も扉２０の上部の部分平面図であるが、ここにはケーシング３５の内部構造が示されている。出力軸３６にはレバー３７と直角をなすようにアーム３９が固定される。このアーム３９にスライダ４０が組み合わせられる。スライダ４０は軌道に沿って扉２０と平行且つ水平にスライドする。スライダ４０は平面形状コ字形であり、その両端の突出片４０ａ、４０ｂの間にレバー３７が挟まれる形になっている。突出片４０ａの内側には弾性力の源泉となる圧縮コイルばね４１が軸線を水平にして固定される。
【００２９】
スライダ４０にスライドの動きを与えるのはモータ４２によって正逆回転せしめられるボールねじ４３である。スライダ４０と共に軌道上を移動せしめられる圧縮コイルばね４１はアーム３９に当たってこれを押す。アーム３９とレバー３７は出力軸３６を介して一体的に回転するので、アーム３９に反時計方向のトルクが生じるとレバー３７にも反時計方向のトルクが生じ、レバー受け３１に対し力を及ぼすことになる。この力により、扉２０は扉枠１０に引きつけられる。このような仕組みを通じて圧縮コイルばね４１が扉２０に与える閉鎖方向の付勢力、つまり弾性力は、人力による扉２０の開放を阻止するに足るものとする。言い換えれば、このような弾性力を発生できる強さの圧縮コイルばねを選択し、使用する。
【００３０】
レバー３７は、図示しないばねにより時計方向の軽い回転付勢力を与えられている。このため、アーム３９が圧縮コイルばね４１でアーム３９を押していないかぎり、レバー３７は時計方向に回動しようとする。図５（ｂ）に示す角度が、レバー３７のケーシング３５に対する回転限界である。
【００３１】
図９は制御ブロック図である。制御部５０は全体制御を司るものであり、ＣＰＵやメモリを含む。制御部５０はまた整流回路や電圧回路を含み、商用電源５１からの電力を制御対象に、それぞれの制御対象にマッチした形に整えて供給する。
【００３２】
制御部５０には、認証部５２、モータドライバ５３、エンコーダ５４、レバー開センサ５５、レバー閉センサ５６、扉開閉センサ５７、及び警報・通信装置５８が接続される。
【００３３】
認証部５２は閉鎖装置３０の操作を許可するためのものである。暗証番号やバイオメトリクスなどの手段により、扉２０を閉鎖しようとする、あるいは閉鎖を解除しようとする者の本人確認を行い、登録済みの者だけが制御部５０に指令を出せるようにする。認証部５２は扉２０に、あるいは扉２０でなく壁面に設けられる。認証部５２をリモートコントロール部と受信部とに分けて構成し、リモートコントロール部の方に暗証入力部や指紋認識装置を設ける構成とすることもできる。
【００３４】
モータドライバ５３はモータ４２を駆動するためのものである。エンコーダ５４はモータ４２と同軸に配置され、モータ４２の回転角度を知るのに用いられる。レバー開センサ５５とレバー閉センサ５６はそれぞれケーシング３５に対しレバー３７が特定角度にあることを検知するために設けられる。扉開閉センサ５７は扉２０が閉鎖状態にあるかどうかを検知するためのものである。警報・通信装置５８は警報を発したり警備会社に通信したりするために設けられる。
【００３５】
続いて、これまでの図に加え、図４−８を参照しつつ閉鎖装置３０の動作を説明する。図４−８は図３と同様の部分平面図であり、それぞれ異なる動作状態を示す。
【００３６】
図３は「全施錠」モードの状態を示すものである。モータ４２はスライダ４０を図の左方に移動させ、圧縮コイルばね４１の弾性力によってアーム３９を押している。これにより出力軸３６には図において反時計方向のトルクが生まれ、レバー受け３１に入り込んだレバー３７は、扉枠１０に密着する方向に扉２０を引き寄せている。
【００３７】
レバー３７がレバー受け３１から抜け出すためにはレバー３７がケーシング３５に対し時計方向に回動することが必要であるが、圧縮コイルばね４１がアーム３９を押しているかぎりそれはできない。つまり圧縮コイルばね４１の弾性力は、レバー受け３１からレバー３７が抜け出さないように、レバー３７に対して作用する。
【００３８】
この状態において、侵入企図者があったとすると、人力による扉２０の開放を阻止するに足る弾性力が扉２０に付与されているため、ノブ２１を握って引いたくらいでは侵入企図者は扉２０を開くことができない。
【００３９】
侵入企図者が侵入をあきらめない場合、図４に示すようにバール１００の先端を扉枠１０と扉２０の間に差し込んで扉２０をこじ開けにかかることが考えられる。てこの原理をうまく使えば、扉２０の自由端を扉枠１０の外に出すことができる。しかしながら力を緩めると扉２０はすぐさま閉まってしまう。扉２０の自由端と扉枠１０との間に人一人が通れるほどの隙間を作ろうと思えば、扉２０をこじ開けた時点で扉枠１０と扉２０の間に物を挿入して扉２０が元に戻らないようにし、以後同様にバール１００をてこのように使って隙間を広げては物を挿入するという作業を繰り返さねばならない。これは非常に時間と手間がかかる。
【００４０】
しかも、最初に扉２０がこじ開けられた時点で扉開閉センサ５７が扉２０の動きを検知し、警報・通信装置５８に警報の発令を行わせているので、居住者はゆとりをもって防御態勢を整えたり、パニックルームに避難したり、警察に通報したりすることができる。また警備契約を結んだ警備会社への通信もなされており、侵入企図者が侵入に成功したり、あるいは侵入をあきらめて逃走するまでに警備員が駆けつけ、侵入企図者が取り押さえられる確率も高い。
【００４１】
図５（ａ）、（ｂ）は「解錠」モードにした状態を示すものである。モータ４２はスライダ４０を右方に寄せ、圧縮コイルばね４１とアーム３９の間に大きな隙間をつくっている。扉２０を押すか引くかして開放方向に動かせば、レバー３７は図５（ａ）の姿勢から図５（ｂ）の姿勢へとケーシング３５に対する相対姿勢を変える。図５（ｂ）の姿勢になると、ローラ３８がレバー受け３１の開口３２から抜け出す。これにより、扉２０は閉鎖装置３０による拘束を全く受けなくなり、全開状態にまで開くことができる。
【００４２】
前述のとおり、レバー３７は図示しないばねにより時計方向の軽い回転付勢力を与えられており、また図５（ｂ）に示す角度がレバー３７のケーシング３５に対する回転限界である。このため、レバー３７は図５（ｂ）の姿勢を保ったまま、がたつくことなく扉２０と一緒に動く。扉２０を閉じていくと、まずローラ３８がレバー受け３１の内壁に当たる。扉２０を扉枠１０に引き寄せれば、ローラ３８はレバー受け３１の奥の方に入り込み、最終的には図５（ａ）の姿勢に戻るものである。
【００４３】
本実施形態では、圧縮コイルばね４１の弾性力が扉２０に作用し始める位置を調整して、扉２０を一部開放状態にすることが可能である。「半施錠」と「ドアガード施錠」の二通りのモードが設定されている。
【００４４】
図６（ａ）、（ｂ）は「半施錠」モードにした状態を示すものである。モータ４２はスライダ４０を「全施錠」モードの場合よりも少しだけ右方に寄せ、圧縮コイルばね４１とアーム３９の間に小さな隙間をつくっている。居住者が外出から帰った時、居住者は図６（ｂ）のように扉２０を扉２０の厚み分の程度開けることができる。扉２０の端面に認証部５２を設けておけば、ここで認証を済ませて操作部５０に指令を出し、「解錠」モードの状態までスライダ４０をスライドさせることができる。
【００４５】
図７（ａ）、（ｂ）は「ドアガード施錠」モードにした状態を示すものである。モータ４２はスライダ４０を「半施錠」モードの場合よりもさらに右方に寄せている。このため扉２０は、図７（ｂ）に示すように、「半施錠」モードの場合よりもさらに大きく開くことができる。開きが通常の扉をドアチェーンでガードしたときと同じ程度になるようにすれば、隙間から外来者を確認することができる。
【００４６】
また本実施形態では、圧縮コイルばね４１の弾性力と反対方向の力をモータ４２よりレバー３７に与え、扉２０を「自動オープン」の形で開放させることが可能である。この「自動オープン」モード時の動きを図８（ａ）、（ｂ）に基づき説明する。
【００４７】
図８（ａ）のようにスライダ４０を右方に移動させると、左側の突出片４０ｂがアーム３９の左側の側面に当たる。スライダ４０の移動を続けると、レバー３７が時計方向に回動し、レバー受け３１を押す。これにより、扉２０は開き始める。これと共に、レバー３７自身もレバー受け３１から抜けて行く。
【００４８】
図８（ｂ）の状態になれば、ローラ３８はレバー受け３１から抜け出し可能である。スライダ４０の動きはここで止め、後は手で扉２０を開かせる。
【００４９】
なお、扉２０の側にレバー受けを設け、扉枠１０の側にレバー及びこれを回転させる機構を設ける構成とすることも可能である。
【００５０】
図１０に本発明の第２実施形態を示す。図１０は図４と同様の部分平面図である。第１実施形態と同じ、あるいは機能的に共通する構成要素には第１実施形態のときと同じ符号を付し、説明は省略する。
【００５１】
出力軸３６には、第１実施形態のときのアーム３９の代わりに扇形歯車６０が固定されている。スライダ４０には扇形歯車６０にかみ合うラック６１が固定ないし一体成形されている。ボールねじ４３はスライダ４０を駆動するのでなく、スライダ４０の内部に配設したボールナット６２を駆動し、ボールナット６２の両側に配置した２個の圧縮コイルばねのいずれかを介してスライダ４０を移動させる。一方は圧縮コイルばね４１であり、第１実施形態の場合と同じく、人力による扉２０の開放を阻止するに足る弾性力を扉２０に付与する。他方の圧縮コイルばね６３は、「自動オープン」の際、スライダ４０に
対するボールナット６２の当たりをやわらげる働きをする。
【００５２】
この他第２実施形態では、スライダ４０の進路中にアクチュエータを突き出したスイッチがレバー開センサ５５とレバー閉センサ５６を構成している。またボールねじ４３の端はケーシング３５の外に突き出しており、ここに手動ノブ６４が固定されている。手動ノブ６４は、停電や回路故障などによりモータ４２が回転しなくなったとき、ボールねじ４３を手で回転させるのに用いる。
【００５３】
以上本発明の実施形態につき説明したが、この他、発明の主旨から逸脱しない範囲で種々の改変を加えて実施することができる。例えば、本発明の閉鎖装置を備えた扉に通常の錠を付加し、併用することとしてもよい。
【産業上の利用可能性】
【００５４】
本発明は、外部からの侵入が困難な扉の閉鎖装置として、建造物に広く利用可能である。
【図面の簡単な説明】
【００５５】
【図１】扉の概要を示す正面図
【図２】扉の上部を示すものであり、（ａ）は部分平面図、（ｂ）は部分平面図
【図３】内部機構を示す部分平面図
【図４】図４と異なる状態を示す部分平面図
【図５】「解錠」モードを示すものであり、（ａ）、（ｂ）それぞれ異なる状態の部分平面図
【図６】「半施錠」モードを示すものであり、（ａ）、（ｂ）それぞれ異なる状態の部分平面図
【図７】「ドアガード施錠」モードを示すものであり、（ａ）、（ｂ）それぞれ異なる状態の部分平面図
【図８】「自動オープン」モードを示すものであり、（ａ）、（ｂ）それぞれ異なる状態の部分平面図
【図９】回路ブロック図
【図１０】第２実施形態を示す部分平面図
【符号の説明】
【００５６】
１０  扉枠
２０  扉
３０  閉鎖装置
３１  レバー受け
３５  ケーシング
３６  出力軸
３７  レバー
３９  アーム
４０  スライダ
４１  圧縮コイルばね
４２  モータ
【図１】
2006022535.tif 000003
【図２】
2006022535.tif 000004
【図３】
2006022535.tif 000005
【図４】
2006022535.tif 000006
【図５】
2006022535.tif 000007
【図６】
2006022535.tif 000008
【図７】
2006022535.tif 000009
【図８】
2006022535.tif 000010
【図９】
2006022535.tif 000011
【図１０】
2006022535.tif 000012